Podtech/llm-jp-corpus-v4-ja_patent huggingface dataset:
【手続補正書】
【提出日】平成22年11月12日(2010.11.12)
【手続補正１】
【補正対象書類名】特許請求の範囲
【補正対象項目名】全文
【補正方法】変更
【補正の内容】
【特許請求の範囲】
【請求項１】
機械可読命令を含む１つ以上の機械可読記憶媒体であって、前記命令がマシンによって実行されるとき、前記マシンに、
高解像度デジタル多用途ディスク（ＨＤ−ＤＶＤ）から読み出される第１のシーン記述を表す第１のマークアップを受信するステップと、
前記第１のマークアップの少なくとも一部を、ユーザーに表示するための第１の領域コンポジットへマッピングするステップと、
前記ＨＤ−ＤＶＤから読み出される少なくとも第２のシーン記述を表す少なくとも第２のマークアップを受信するステップと、
前記第２のマークアップの受信に応答して、前記ユーザーに表示するための少なくとも第２の領域コンポジットへ前記第１のシーン記述の一部を増分再マッピングするステップと、を含む方法を実行させることを特徴とする機械可読記憶媒体。
【請求項２】
前記第１のマークアップを受信する命令が、前記ＨＤ−ＤＶＤから読み出されたコンテンツマークアップ、スタイルマークアップ及びタイミングマークアップのうち少なくとも１つを受信する命令を含むことを特徴とする請求項１記載の機械可読記憶媒体。
【請求項３】
前記第１のシーン記述の一部を増分再マッピングする前記命令が、前記第１のシーン記述において表されているエレメントすべてのスタイルの一部を再マッピングする命令を含むことを特徴とする請求項１記載の機械可読記憶媒体。
【請求項４】
前記第１のシーン記述の一部を増分再マッピングする前記命令が、前記第１のシーン記述において表されている単一のエレメントのスタイルの一部を再マッピングする命令を含むことを特徴とする請求項１記載の機械可読記憶媒体。
【請求項５】
前記第１のシーン記述の一部を増分再マッピングする前記命令が、前記第１のシーン記述の増分再マッピングを実行しないことを決定する命令を含むことを特徴とする請求項１記載の機械可読記憶媒体。
【請求項６】
更に、クロックパルスに応答して前記第２のマークアップを受信する命令を含む請求項１記載の機械可読記憶媒体。
【請求項７】
更に、前記第２のマークアップ受信に応答して少なくとも１つの変更通知メッセージを生成する命令を含む請求項１記載の機械可読記憶媒体。
【請求項８】
前記変更通知メッセージを生成する前記命令が、前記第２のシーン記述において変更されている、前記第１のシーン記述中の少なくとも１つのエレメントに関する指示を含む変更通知メッセージを生成する命令、を含むことを特徴とする請求項７記載の機械可読記憶媒体。
【請求項９】
前記変更通知メッセージを生成する前記命令が、前記第２のシーン記述において変更されている、前記第１のシーン記述中の少なくとも１つのエレメントにおける少なくとも１つのスタイルに関する指示を含む変更通知メッセージを生成する命令、を含むことを特徴とする請求項７記載の機械可読記憶媒体。
【請求項１０】
前記変更通知メッセージを生成する前記命令が、前記第２のシーン記述において変更されている、前記第１のシーン記述に定義されているレイヤーに存在する、少なくとも１つのエレメント又はスタイルに関する指示を含む変更通知メッセージを生成する命令、を含むことを特徴とする請求項７記載の機械可読記憶媒体。
【請求項１１】
前記変更通知メッセージを生成する前記命令が、前記第２のシーン記述において変更されている、前記第１のシーン記述に定義されているエレメントのスタイルの少なくとも１つの新しい値に関する指示を含む変更通知メッセージを生成する命令、を含むことを特徴とする請求項７記載の機械可読記憶媒体。
【請求項１２】
更に、変更通知メッセージにおいて指定されているレイヤーが、効果があるレイヤーであるか否か決定する命令を含む請求項７記載の機械可読記憶媒体。
【請求項１３】
更に、前記第１のシーン記述に含まれている少なくとも１つの第１のエレメントが、前記第１のシーン記述に含まれている別のエレメントから少なくとも１つの属性を継承するように設定されているか否か決定する命令を含む請求項７記載の機械可読記憶媒体。
【請求項１４】
更に前記エレメントが、前記少なくとも１つの属性を継承するように設定されている決定に応答して前記第１のエレメントの単一エレメントの再マッピングを利用不可にする命令を含む請求項１３記載の機械可読記憶媒体。
【請求項１５】
更に、前記エレメントが、前記少なくとも１つの属性を継承するように設定されていない決定に応答して前記第１のエレメントの単一エレメントの再マッピングを実行する命令を含む請求項１３記載の機械可読記憶媒体。
【請求項１６】
前記第１のエレメントの単一エレメントの再マッピングを実行する前記命令が、変更通知メッセージにおいて指定されている単一エレメントに対するスタイルの値を使用する命令を含むことを特徴とする請求項１３記載の機械可読記憶媒体。
【請求項１７】
請求項１記載の前記機械可読記憶媒体を含むＨＤ−ＤＶＤ再生装置。
【請求項１８】
高解像度デジタル多用途ディスク（ＨＤ−ＤＶＤ）を再生する装置であって、
プロセッサーと、
１つ以上の計算機可読記憶媒体であって、ＨＤ−ＤＶＤ変換コンポーネントを含み、該コンポーネントが、
前記ＨＤ−ＤＶＤから読み出される第１のシーン記述を表す第１のマークアップを受信するステップと、
前記少なくとも第１のマークアップの一部を、ユーザーに表示するための第１の領域コンポジットへマッピングするステップと、
前記ＨＤ−ＤＶＤから読み出される少なくとも第２のシーン記述を表す少なくとも第２のマークアップを受信するステップと、
前記第２のマークアップの受信に応答して、前記第１のシーン記述の一部を前記ユーザーに表示するための少なくとも第２の領域コンポジットへ増分再マッピングするステップと、を含むことを特徴とする装置。
【請求項１９】
前記ＨＤ−ＤＶＤ変換コンポーネントが、前記第１のシーン記述において表されている単一のエレメントのスタイルの一部を再マッピングするために存在することを特徴とする請求項１８の装置。
【請求項２０】
前記ＨＤ−ＤＶＤ変換コンポーネントが、前記第１のシーン記述において表されているエレメントすべてのスタイルの一部を再マッピングするために存在することを特徴とする請求項１８記載の装置。
【手続補正書】
【提出日】平成22年12月6日(2010.12.6)
【手続補正１】
【補正対象書類名】特許請求の範囲
【補正対象項目名】全文
【補正方法】変更
【補正の内容】
【特許請求の範囲】
【請求項１】
イメージセンサの特性を調整する方法であって、
制御された状況下で前記イメージセンサを照明するステップと、
前記制御された状況下で複数の画像を前記イメージセンサ上へ露出するステップと、
前記複数の画像から、前記イメージセンサ上へ露出される画像のためのモデルのパラメータ値を抽出するステップと、
前記パラメータ値を用いて、前記イメージセンサでそれ以降に撮影される画像を補正するステップとを含むことを特徴とする方法。
【請求項２】
前記イメージセンサを照明するための外部光源を提供することによって前記制御された状況を準備するステップをさらに含むことを特徴とする請求項１の方法。
【請求項３】
前記露出するステップが、複数の色成分の各々に対して所定の光強度での照明を提供するステップを含むことを特徴とする請求項１の方法。
【請求項４】
前記制御された状況下で撮影された前記画像または計算されたパラメータをアーカイブメモリに記憶するステップをさらに含むことを特徴とする請求項１の方法。
【請求項５】
前記パラメータ値が、方程式、曲線、区分的曲線、ルックアップテーブルからなる群から選択される形式で表されることを特徴とする請求項１の方法。
【請求項６】
様々な温度で１若しくは複数のダークピクセルからの信号を測定するステップをさらに含むことを特徴とする請求項１の方法。
【請求項７】
前記画像を補正するステップが、前記画像が撮影された温度を測定し、温度測定値を前記モデルへの入力データとして用いるステップをさらに含むことを特徴とする請求項１の方法。
【請求項８】
前記画像の前記モデルが、ピクセル間ばらつきを補正するための関数を含むことを特徴とする請求項１の方法。
【請求項９】
前記関数が、画像の測定値と乗算ファクタの積を含むことを特徴とする請求項８の方法。
【請求項１０】
前記関数が、不均一なピクセル応答性を補正することを特徴とする請求項８の方法。
【請求項１１】
前記画像の前記モデルが、前記イメージセンサの或るピクセルにおいて漏れ電流を補正するための加算ファクタを含むことを特徴とする請求項１の方法。
【請求項１２】
前記漏れ電流が、露出時間にわたって積分されることを特徴とする請求項１１の方法。
【請求項１３】
前記補正された画像を圧縮するステップをさらに含むことを特徴とする請求項１の方法。
【請求項１４】
撮影された画像を外部の保管場所に送信するステップまたは前記撮影された画像をアーカイブメモリに記憶するステップをさらに含むことを特徴とする請求項１の方法。
【請求項１５】
前記制御された状況を、カメラ内から照明系を提供することによって準備するステップをさらに含むことを特徴とする請求項１の方法。
【請求項１６】
前記モデルが、反射光のための補正項を含むことを特徴とする請求項１５の方法。
【請求項１７】
前記補正項が、発光ダイオードの電流または露出時間の関数であることを特徴とする請求項１６の方法。
【請求項１８】
前記イメージセンサが、複数の光学素子を有するカメラ内に設けられ、
前記方法が、前記イメージセンサとは無関係に前記光学素子の特性を調整するステップをさらに含み、
前記画像が、前記光学素子と前記パラメータ値の両者の特性調整を用いて補正されることを特徴とする請求項１７の方法。
【請求項１９】
カメラであって、
イメージセンサと、
前記カメラで撮影される画像のためのモデルに基づき生成される特性調整データの記録を保存するための記録保存手段とを含み、
前記特性調整データが、前記イメージセンサ上に投影された複数の画像から得られるものであることを特徴とするカメラ。
【請求項２０】
前記特性調整データが、所定の特性の外部光源に基づいて露出を行うことによって得られるものであることを特徴とする請求項１９のカメラ。
【請求項２１】
前記露出が、複数の色成分の各々に対して所定の光強度での照明を提供することによってなされることを特徴とする請求項１９のカメラ。
【請求項２２】
前記撮影された画像または計算されたパラメータを記憶するためのアーカイブメモリをさらに含むことを特徴とする請求項１９のカメラ。
【請求項２３】
前記記録保存手段が、記憶装置または前記記録を外部記録装置に送信するための送信機を含むことを特徴とする請求項２２のカメラ。
【請求項２４】
前記パラメータが、方程式、曲線、区分的曲線、ルックアップテーブルからなる群から選択される形式で表されるものであることを特徴とする請求項１９のカメラ。
【請求項２５】
或る画像を、該画像における前記ピクセル間ばらつきを補正した後に圧縮する手段をさらに含むことを特徴とする請求項１９のカメラ。
【請求項２６】
前記画像の前記モデルが、ピクセル間ばらつきを補正するための関数を含むことを特徴とする請求項１９のカメラ。
【請求項２７】
前記関数が、画像の測定値と乗算ファクタの積を含むことを特徴とする請求項２６のカメラ。
【請求項２８】
前記関数が、不均一なピクセル応答性を補正することを特徴とする請求項２６のカメラ。
【請求項２９】
前記モデルが、前記イメージセンサの或るピクセルにおいて漏れ電流を補正するための加算ファクタを含むことを特徴とする請求項１９のカメラ。
【請求項３０】
前記漏れ電流が、露出時間にわたって積分されることを特徴とする請求項２９のカメラ。
【請求項３１】
前記特性調整データを作成するために制御された状況を準備するための照明系をさらに含むことを特徴とする請求項１９のカメラ。
【請求項３２】
前記モデルが、反射光のための補正項を含むことを特徴とする請求項３１のカメラ。
【請求項３３】
前記補正項が、発光ダイオードの電流または露出時間の関数であることを特徴とする請求項３２のカメラ。
【請求項３４】
複数の光学素子と、
前記イメージセンサとは無関係に前記光学素子の特性を調整する手段とをさらに有し、
前記画像が、前記イメージセンサと前記光学素子の両者の特性調整を用いて補正されるようにしたことを特徴とする請求項３３のカメラ。
【請求項３５】
様々な温度で１若しくは複数のダークピクセルからの信号を測定するための手段をさらに含むことを特徴とする請求項１９のカメラ。
【請求項３６】
前記画像が撮影された温度を測定するための手段をさらに含み、温度測定値が前記モデルへの入力データとして用いられるようにしたことを特徴とする請求項１９のカメラ。
【手続補正書】
【提出日】平成22年12月3日(2010.12.3)
【手続補正１】
【補正対象書類名】特許請求の範囲
【補正対象項目名】請求項１２
【補正方法】変更
【補正の内容】
【請求項１２】
請求項１１に記載のイオン源供給材料供給装置において、
前記封止されたコンテナは膜により封止された出口を有し、
前記ノズルアセンブリは剛性部材を有し、
前記機構は、前記剛性部材が前記膜に穴を開けることにより前記ノズルアセンブリをコンテナと結合させるようになっているイオン源供給材料供給装置。
【手続補正２】
【補正対象書類名】特許請求の範囲
【補正対象項目名】請求項１９
【補正方法】変更
【補正の内容】
【請求項１９】
請求項１１に記載のイオン源供給材料供給装置において、
前記コンテナは、このコンテナが最初に前記ハウジング内に装填された際に閉成状態に保たれているバネ仕掛け弁で封止されており、
前記機構は、前記バネ仕掛け弁を開放状態に押圧することにより前記ノズルアセンブリを前記コンテナと結合させるようになっているイオン源供給材料供給装置。
【手続補正３】
【補正対象書類名】特許請求の範囲
【補正対象項目名】請求項２０
【補正方法】変更
【補正の内容】
【請求項２０】
請求項１１に記載のイオン源供給材料供給装置において、前記機構は、前記イオン源室が予め決定した真空レベルに達した場合のみ、前記ノズルアセンブリを前記コンテナと結合させるように構成されているイオン源供給材料供給装置。
【手続補正４】
【補正対象書類名】明細書
【補正対象項目名】００１５
【補正方法】変更
【補正の内容】
【００１５】
この特定の代表的な例の他の態様によれば、前記封止されたコンテナは、膜により封止された出口を有するようにしうる。前記ノズルアセンブリは剛性部材を有するようにしうる。又、前記機構は、前記剛性部材が前記膜に穴を開けることにより前記ノズルアセンブリをコンテナと結合させるようにしうる。コンテナが最初に前記ハウジング内に装填された際に、このコンテナの前記出口は前記剛性部材の付近にあるようにでき、前記機構はコンテナを前記剛性部材に向う方向に摺動させて、前記膜に穴を開けるようにしうる。
【手続補正５】
【補正対象書類名】明細書
【補正対象項目名】００１７
【補正方法】変更
【補正の内容】
【００１７】
この特定の代表的な例の追加の態様によれば、前記コンテナは、このコンテナが最初に前記ハウジング内に装填された際に閉成状態に保たれているバネ仕掛け弁で封止されているようにしうる。前記機構は、前記バネ仕掛け弁を開放状態に押圧することにより前記ノズルアセンブリを前記コンテナと結合させるようにしうる。
【手続補正６】
【補正対象書類名】明細書
【補正対象項目名】００１８
【補正方法】変更
【補正の内容】
【００１８】
この特定の代表的な例の他の態様によれば、前記機構は、前記イオン源室が予め決定した真空レベルに達した場合のみ、前記ノズルアセンブリを前記コンテナと結合させるように構成しうる。
【手続補正書】
【提出日】平成22年12月20日(2010.12.20)
【手続補正１】
【補正対象書類名】特許請求の範囲
【補正対象項目名】全文
【補正方法】変更
【補正の内容】
【特許請求の範囲】
【請求項１】
エッチング層に特徴部をエッチングするための方法であって、
線端部において終了する一対の側壁を有した少なくとも一本のフォトレジスト線を有するパターン形成済みフォトレジストマスクを、前記エッチング層上に提供するステップと、
前記少なくとも一本のフォトレジスト線の上にポリマ層を配置して、前記フォトレジスト線の前記線端部における前記ポリマ層の厚さが前記フォトレジスト線の前記側壁における前記ポリマ層の厚さより大きくするステップと、
前記フォトレジストマスクを介して前記エッチング層に特徴部をエッチングして、ラインエンドショートニング（ＬＥＳ）比を１以下とするステップと
を備える方法。
【請求項２】
前記少なくとも一本のフォトレジスト線の上に前記ポリマ層を配置する前記ステップは、前記ポリマを堆積させる間に下層を同時にエッチングし、その後の前記エッチング層のエッチングのために、前記下層と共にエッチングマスクを形成する請求項１記載の方法。
【請求項３】
前記ポリマ層を堆積させる前記ステップは、
堆積ガスを流動させるステップと、
前記堆積ガスをプラズマにするステップと、
少なくとも１００ボルトの大きさのバイアス電圧を提供するステップと
を含む請求項２記載の方法。
【請求項４】
前記少なくとも一本のフォトレジスト線の上に前記ポリマ層を配置する前記ステップは、少なくとも一サイクルを含み、各サイクルは
ポリマを前記少なくとも一本のフォトレジスト線上に堆積させる堆積段階と、
前記少なくとも一本のフォトレジスト線の前記側壁上に堆積したポリマが、前記少なくとも一本のフォトレジスト線の前記線端部上に堆積したポリマより多くトリミングされるように、前記堆積ポリマを選択的にトリミングするトリミング段階と
を有する請求項１記載の方法。
【請求項５】
前記少なくとも一本のフォトレジスト線の上に前記ポリマ層を配置する前記ステップは、少なくとも四サイクルを含む
請求項４記載の方法。
【請求項６】
前記堆積段階は、
堆積ガスを流動させるステップと、
前記堆積ガスをプラズマにするステップと、
前記堆積ガスを停止するステップと、を含み、前記トリミング段階は、
トリミングガスを流動させるステップと、
前記トリミングガスをプラズマにするステップと、
前記トリミングガスを停止するステップと
を含む請求項４または請求項５に記載の方法。
【請求項７】
前記トリミングガスは、酸素含有ガスを含む請求項６記載の方法。
【請求項８】
前記トリミングガスは、更に、Ｃｌ2 を含む請求項７記載の方法。
【請求項９】
前記少なくとも一本のフォトレジスト線の上に前記ポリマ層を配置する前記ステップは、
ポリマ形成ガス及びＨＢｒを含む堆積ガスを供給するステップと、
前記堆積ガスからプラズマを形成するステップと
を含む請求項１記載の方法。
【請求項１０】
前記少なくとも一本のフォトレジスト線の上に前記ポリマ層を配置する前記ステップは、
堆積ガス及びトリミングガスを同時に流動させるステップと、
前記堆積ガス及びトリミングガスをプラズマにするステップと
を含む請求項１記載の方法。
【請求項１１】
更に、酸素アッシングを提供するステップを備える請求項１ないし１０の何れかに記載の方法。
【請求項１２】
前記少なくとも一本のフォトレジスト線の上に前記ポリマ層を配置する前記ステップは、
ＣＨＦ3 、ＣＨ4 、ＣＨ2Ｆ2、ＣＨ4 、またはＳｉＣｌ4 の少なくとも一つを含む堆積ガスを供給するステップと、
前記堆積ガスをプラズマにするステップと
を含む請求項１記載の方法。
【請求項１３】
エッチング層において特徴をエッチングするための方法であって、
線端部において終了する一対の側壁を有した少なくとも一本のフォトレジスト線を有するパターン形成済みフォトレジストマスクを、前記エッチング層上に提供するステップと、
堆積ガスを流動させるステップ、
前記堆積ガスをプラズマに転換するステップ、及び
前記堆積ガスを停止するステップを含む
前記少なくとも一本のフォトレジスト線の上にポリマ層を配置するステップと、
トリミングガスを流動させるステップ、
前記トリミングガスをプラズマに転換するステップ、及び
前記トリミングガスを停止するステップを含む
前記ポリマ層をトリミングして、前記フォトレジスト線の前記線端部における前記トリミング済みポリマ層の厚さが前記フォトレジスト線の前記側壁における前記トリミング済みポリマ層の厚さより大きくなるようにするステップと、
前記フォトレジストマスクを介して前記エッチング層に特徴部をエッチングして、ラインエンドショートニング（ＬＥＳ）比を１以下とするステップと
を備える方法。
【請求項１４】
前記トリミングガスは、酸素含有ガスを含む請求項１３記載の方法。
【請求項１５】
前記トリミングガスは、更に、Ｃｌ2 を含む請求項１４記載の方法。
【手続補正書】
【提出日】平成22年12月15日(2010.12.15)
【手続補正１】
【補正対象書類名】明細書
【補正対象項目名】００２１
【補正方法】変更
【補正の内容】
【００２１】
用語Ｃ1〜Ｃ8アルコキシは、Ｒ16−Ｏ−基（式中、Ｒ16は、前記で定義したＣ1〜Ｃ8アルキルを表す）を説明するために用いる。
【手続補正２】
【補正対象書類名】特許請求の範囲
【補正対象項目名】全文
【補正方法】変更
【補正の内容】
【特許請求の範囲】
【請求項１】
半導体ウエハを洗浄する方法であって、ウエハを：
構造（Ｉ）Ｒ−ＣＯ2Ｒ1、（ＩＩ）Ｒ2−ＣＯ2Ｃ2Ｈ4ＯＣ2Ｈ4−ＯＲ3、および（ＩＩＩ）Ｒ4ＯＣＯ2Ｒ5（式中、Ｒ，Ｒ1，Ｒ2，Ｒ3，Ｒ4およびＲ5は、独立に、Ｃ1−Ｃ8アルキル基から選択される）からなる群から選択される１種以上のエステル；ならびに
任意に、水と、構造（ＩＶ）Ｒ6ＯＨ、（Ｖ）Ｒ7ＯＣ2Ｈ4ＯＣ2Ｈ4ＯＨ、（ＶＩ）Ｒ8ＯＣ2Ｈ4ＯＨおよび（ＶＩＩ）Ｒ9ＣＯＲ10（式中、Ｒ6，Ｒ7，Ｒ8，Ｒ9およびＲ10は、独立にＣ1−Ｃ8アルキル基から選択される）からなる群とから選択される１種以上の共溶媒；
を含む少なくとも１種の溶媒と接触させることを含む、方法。
【請求項２】
溶媒が、（Ｉ）Ｒ−ＣＯ2Ｒ1（式中、ＲおよびＲ1は独立にＣ1−Ｃ2アルキル基から選択される）；および任意に前記共溶媒のうち１種以上、を含む、請求項１に記載の方法。
【請求項３】
ＲおよびＲ1が共にメチルである、請求項２に記載の方法。
【請求項４】
半導体ウエハを洗浄する方法であって：
ウエハを、エステルまたはエステルと共溶媒との溶媒ブレンドと接触させることを含み、エステル部分が０〜１００質量パーセントの酢酸メチルを含み、そして共溶媒部分が０〜１００質量パーセントを構成し、そして共溶媒が、水と構造（ＩＶ）Ｒ6ＯＨ、（Ｖ）Ｒ7ＯＣ2Ｈ4ＯＣ2Ｈ4ＯＨ、（ＶＩ）Ｒ8ＯＣ2Ｈ4ＯＨおよび（ＶＩＩ）Ｒ9ＣＯＲ10（式中、Ｒ6，Ｒ7，Ｒ8，Ｒ9およびＲ10は、独立にＣ1−Ｃ8アルキル基から選択される）からなる群とから選択され、溶媒ブレンドには何らかのエステル部分が存在する、方法。
【請求項５】
半導体ウエハを洗浄する方法であって：
ウエハを、エステル、またはエステルと共溶媒との溶媒ブレンドと接触させることを含み、エステル部分が７５〜１００質量パーセントの酢酸メチルを含み、そして共溶媒部分が０〜２５質量パーセントを構成し、そして共溶媒が、水と構造（ＩＶ）Ｒ6ＯＨ、（Ｖ）Ｒ7ＯＣ2Ｈ4ＯＣ2Ｈ4ＯＨ、（ＶＩ）Ｒ8ＯＣ2Ｈ4ＯＨおよび（ＶＩＩ）Ｒ9ＣＯＲ10（式中、Ｒ6，Ｒ7，Ｒ8，Ｒ9およびＲ10は、独立にＣ1−Ｃ8アルキル基から選択される）からなる群とから選択される、方法。
【請求項６】
半導体ウエハを洗浄する方法であって、ウエハを：
構造（Ｉ）Ｒ−ＣＯ2Ｒ1、（ＩＩ）Ｒ2−ＣＯ2Ｃ2Ｈ4ＯＣ2Ｈ4−ＯＲ3、および（ＩＩＩ）Ｒ4ＯＣＯ2Ｒ5（式中、Ｒ，Ｒ1，Ｒ2，Ｒ3，Ｒ4およびＲ5は、独立に、Ｃ1−Ｃ8アルキル基から選択される）からなる群から選択される１種以上のエステル；および
任意に、水と、構造（ＩＶ）Ｒ6ＯＨ、（Ｖ）Ｒ7ＯＣ2Ｈ4ＯＣ2Ｈ4ＯＨ、（ＶＩ）Ｒ8ＯＣ2Ｈ4ＯＨおよび（ＶＩＩ）Ｒ9ＣＯＲ10（式中、Ｒ6，Ｒ7，Ｒ8，Ｒ9およびＲ10は、独立にＣ1−Ｃ8アルキル基から選択される）からなる群とから選択される１種以上の共溶媒；ならびに
（１）構造Ｒ11ＳＯ3Ｈ（式中、Ｒ11は、Ｃ1−Ｃ20アルキル、Ｃ3−Ｃ8シクロアルキルおよびアリールから選択される）を有するスルホン酸化合物；
（２）構造Ｒ12，Ｒ13，Ｒ14，Ｒ15，ＮＸ（式中、Ｒ12，Ｒ13，Ｒ14，Ｒ15は、独立に、Ｃ1−Ｃ6アルキル基であって任意にアリール基で置換されるものを表し、そしてＸは、塩化物、臭化物、ヨウ化物、水酸化物、硫酸水素、および硫酸から選択されるアニオンである）の４級アンモニウム塩；および
（３）非イオン性界面活性剤化合物；
からなる群から選択される１種以上の追加的化合物；
を含む少なくとも１種の溶媒と接触させることを含む、方法。
【請求項７】
追加的化合物が、０．００１〜１．０質量パーセントの量で存在する、請求項６に記載の方法。
【手続補正書】
【提出日】平成23年5月12日(2011.5.12)
【手続補正１】
【補正対象書類名】特許請求の範囲
【補正対象項目名】全文
【補正方法】変更
【補正の内容】
【特許請求の範囲】
【請求項１】
キャリア素子と、
前記キャリア素子上に配置されたプラスチックハウジングと、
前記プラスチックハウジング内に設けられ、オプトエレクトロニクス部品を収容可能な大きさを有する凹部とを備え、
前記凹部は、前記キャリア素子の反対側に開口を有し、
前記プラスチックハウジングの内部に少なくとも１つの電子部品を備えることを特徴とするオプトエレクトロニクス部品用のハウジング。
【請求項２】
前記凹部の開口の透明カバーを有することを特徴とする請求項１記載のハウジング。
【請求項３】
前記透明カバーがレンズを有することを特徴とする請求項２記載のハウジング。
【請求項４】
透明な充填材が前記凹部内に充填されたことを特徴とする請求項１乃至請求項３の何れか１項に記載のハウジング。
【請求項５】
前記プラスチックハウジングは、前記充填材の接着に用いられる構造を有することを特徴とする請求項４記載のハウジング。
【請求項６】
前記キャリア素子は金属パターン層であることを特徴とする請求項１乃至請求項５の何れか１項に記載のハウジング。
【請求項７】
前記プラスチックハウジングは熱硬化プラスチックからなることを特徴とする請求項１乃至請求項６の何れか１項に記載のハウジング。
【請求項８】
前記プラスチックハウジングは、前記プラスチックハウジングに対するカバーあるいは光部品の配置を決定する構造あるいは開口を有することを特徴とする請求項１乃至請求項７の何れか１項に記載のハウジング。
【請求項９】
前記キャリア素子は、前記凹部内にオプトエレクトロニクス部品を収容するためのチップアイランドあるいは構造素子を有することを特徴とする請求項１乃至請求項８の何れか１項に記載のハウジング。
【請求項１０】
キャリア素子と、
前記キャリア素子上に配置されたプラスチックハウジングと、
前記プラスチックハウジング内で開口を有する凹部と、
前記凹部内に、発光あるいは受光するための領域を前記開口に向けて配置されたオプトエレクトロニクス部品と、
前記プラスチックハウジング内に配置された少なくとも１つの電子部品とを備えたことを特徴とするハウジングにおけるオプトエレクトロニクス部品の配置。
【請求項１１】
前記オプトエレクトロニクス部品が発光ダイオードであることを特徴とする請求項１０記載の配置。
【請求項１２】
前記凹部の前記開口と前記オプトエレクトロニクス部品との間に変換素子が配置されたことを特徴とする請求項１０又は請求項１１記載の配置。
【請求項１３】
前記変換素子は、前記凹部内に配置された前記オプトエレクトロニクス部品に対する光伝搬方向あるいは前記オプトエレクトロニクス部品からの光伝搬方向を独立して変えることを特徴とする請求項１２記載の配置。
【請求項１４】
前記電子部品は静電気によって引き起こされるダメージから保護する保護回路を含むことを特徴とする請求項１０記載の配置。
【請求項１５】
前記電子部品は前記オプトエレクトロニクス部品用の駆動回路を含むことを特徴とする請求項１０記載の配置。
【請求項１６】
前記凹部内に、発光あるいは受光するための領域を前記開口に向けて配置された他のオプトエレクトロニクス部品を少なくとも１つ備えることを特徴とする請求項１０乃至請求項１５の何れか１項に記載の配置。
【請求項１７】
各他のオプトエレクトロニクス部品が発光ダイオードであることを特徴とする請求項１６記載の配置。
【手続補正２】
【補正対象書類名】明細書
【補正対象項目名】０００５
【補正方法】変更
【補正の内容】
【０００５】
この課題は、請求項１の特徴を有するハウジング及び請求項１０の特徴を有するハウジングにおけるオプトエレクトロニクス部品の配置により解決し得る。改良は、それぞれの従属請求項から明らかである。
【手続補正３】
【補正対象書類名】明細書
【補正対象項目名】０００６
【補正方法】変更
【補正の内容】
【０００６】
ハウジングはキャリア素子を有し、そのキャリア素子上にプラスチックハウジングが配置されている。特に、上記プラスチックハウジングは、熱硬化プラスチックで形成できると共に不透明にすることができる。プラスチックハウジングは、凹部を有する。この凹部は、オプトエレクトロニクス部品を収容し、かつ、キャリア素子から離れた側に開口を有する。オプトエレクトロニクス部品は、上記凹部内に、発光あるいは受光するための領域を上記開口に向けて配置される。上記オプトエレクトロニクス部品が搭載された後、上記開口に透明な充填剤を充填してもよい。上記凹部の透明カバーを、上記開口内に、特に、上記凹部内に配置されたオプトエレクトロニクス部品から離間させて配置することができる。上記カバーは、例えば、ガラス、プラスチック、他のレンズあるいは異なる光部品の配置を含む透明な蓋部であってもよい。
【手続補正書】
【提出日】平成22年12月27日(2010.12.27)
【手続補正１】
【補正対象書類名】特許請求の範囲
【補正対象項目名】全文
【補正方法】変更
【補正の内容】
【特許請求の範囲】
【請求項１】
プロセッサを備えておりゲームコンソール上にメディアを統合するためのシステムであって、前記プロセッサは、
複数のメディア選択を有するダッシュボードを表示するための第１のサブシステムであって、前記ダッシュボードはゲームコンソールにネイティブであり、前記メディア選択の少なくとも１つはテレビ選択である、第１のサブシステムと、
前記テレビ選択と前記複数のメディア選択の中の他のメディア選択との間で交互に切り替えを行うオプションをユーザーに提供するための第２のサブシステムと、
ダッシュボードを制御し所定の限度の範囲において前記複数のメディア選択の間でシステムリソースを配分するオプションをユーザーに提供するように構成された第３のサブシステムと、
を制御することを特徴とするシステム。
【請求項２】
前記テレビ選択には前記ゲームコンソールへコンテンツを提供するサービスプロバイダのロゴが表示されることを特徴とする請求項１に記載のシステム。
【請求項３】
前記ゲームコンソールをセットトップボックスとして起動することを選択するオプションをユーザーに提供するための第４のサブシステムをさらに備えることを特徴とする請求項１に記載のシステム。
【請求項４】
ゲームコントローラを使用して、前記ゲームコンソールをセットトップとしてリモート起動することを選択するオプションをユーザーに提供するための第４のサブシステムをさらに備えることを特徴とする請求項１に記載のシステム。
【請求項５】
前記ゲームコンソールをタイトルとして起動することを選択するオプションをユーザーに提供するための第４のサブシステムをさらに備えることを特徴とする請求項１に記載のシステム。
【請求項６】
前記テレビ選択をアンインストールし、前記ゲームコンソールを前記ダッシュボード上のテレビの前の表示に戻すオプションをユーザーに提供するための第４のサブシステムをさらに備えることを特徴とする請求項１に記載のシステム。
【請求項７】
前記テレビ選択は、テレビディスプレイに示されるコンテンツを記録するためのデジタルビデオ記録（ＤＶＲ）選択を有するメニューに導くことを特徴とする請求項１に記載のシステム。
【請求項８】
ゲームコンソール上にメディアを統合する方法であって、
複数のメディア選択を有するダッシュボードをディスプレイ上に表示するステップであって、前記ダッシュボードはゲームコンソールにネイティブであり、前記メディア選択の少なくとも１つはテレビ選択である、ステップと、
前記テレビ選択と前記複数のメディア選択の中の他のメディア選択との間で交互に切り替えを行うオプションをユーザーに提供するステップと、
ダッシュボードを制御し所定の限度の範囲において前記複数のメディア選択の間でシステムリソースを配分するオプションをユーザーに提供するステップと、
を含むことを特徴とする方法。
【請求項９】
前記テレビ選択には前記ゲームコンソールへコンテンツを提供するサービスプロバイダのロゴが表示されることを特徴とする請求項８に記載の方法。
【請求項１０】
前記ゲームコンソールをセットトップボックスとして起動することを選択するオプションをユーザーに提供するステップをさらに含むことを特徴とする請求項８に記載の方法。
【請求項１１】
ゲームコントローラを使用して、前記ゲームコンソールをセットトップとしてリモート起動することを選択するオプションをユーザーに提供するステップをさらに含むことを特徴とする請求項８に記載の方法。
【請求項１２】
前記ゲームコンソールをタイトルとして起動することを選択するオプションをユーザーに提供するステップをさらに含むことを特徴とする請求項８に記載の方法。
【請求項１３】
前記テレビ選択をアンインストールし、前記ゲームコンソールを前記ダッシュボード上のテレビの前の表示に戻すオプションをユーザーに提供するステップをさらに含むことを特徴とする請求項８記載の方法。
【請求項１４】
前記テレビ選択は、テレビディスプレイに示されるコンテンツを記録するデジタルビデオ記録（ＤＶＲ）選択を有するメニューに導くことを特徴とする請求項８記載の方法。
【請求項１５】
ゲームコンソール上にメディアを統合するためのコンピューター実行可能命令を有するコンピューター読み取り可能な不揮発性記憶媒体であって、
複数のメディア選択を有するダッシュボードを表示する第１の命令であって、前記ダッシュボードはゲームコンソールにネイティブであり、前記メディア選択の少なくとも１つはテレビ選択である、第１の命令と、
前記テレビ選択と前記複数のメディア選択の中の他のメディア選択との間で交互に切り替えを行うオプションをユーザーに提供する第２の命令と、
ダッシュボードを制御して所定の限度の範囲において前記複数のメディア選択の間でシステムリソースを配分するオプションをユーザーに提供する第３の命令と、
を含むコンピューター読み取り可能な不揮発性記憶媒体。
【請求項１６】
前記ゲームコンソールをセットトップボックスとして起動することを選択するオプションをユーザーに提供する第４の命令をさらに含むことを特徴とする請求項１５に記載のコンピューター読み取り可能な不揮発性記憶媒体。
【請求項１７】
ゲームコントローラを使用して、前記ゲームコンソールをセットトップとしてリモート起動することを選択するオプションをユーザーに提供する第４の命令をさらに含むことを特徴とする請求項１５に記載のコンピューター読み取り可能な不揮発性記憶媒体。
【請求項１８】
前記ゲームコンソールをタイトルとして起動することを選択するオプションをユーザーに提供する第４の命令をさらに含むことを特徴とする請求項１５に記載のコンピューター読み取り可能な不揮発性記憶媒体。
【請求項１９】
前記テレビ選択をアンインストールし、前記ゲームコンソールを前記ダッシュボード上のテレビの前の表示に戻すオプションをユーザーに提供する第４の命令をさらに含むことを特徴とする請求項１５に記載のコンピューター読み取り可能な不揮発性記憶媒体。
【請求項２０】
前記テレビ選択は、テレビ表示で示されるコンテンツを記録するためのデジタルビデオ記録（ＤＶＲ）選択を有するメニューに導くことを特徴とする請求項１５に記載のコンピューター読み取り可能な不揮発性記憶媒体。
【手続補正書】
【提出日】平成22年12月22日(2010.12.22)
【手続補正１】
【補正対象書類名】特許請求の範囲
【補正対象項目名】全文
【補正方法】変更
【補正の内容】
【特許請求の範囲】
【請求項１】
ビットストリームのマルチ・ビュー・ビデオ・コンテンツに対応する少なくとも１つのビューのピクチャを復号するデコーダを備え、前記ピクチャがビデオ・シーケンスの少なくとも一部分を表し、前記ピクチャの少なくともいくつかがビデオ・シーケンス内の異なる時刻に対応する装置であって、
前記デコーダが、前記異なる時刻の特定の１つに対応するピクチャの何れかが失われているかどうかを既存のシンタックス要素を用いて判定し、前記既存のシンタックス要素が、前記ピクチャの少なくとも１つのビュー間予測に用いられる少なくとも１つの参照ビューを示す、前記装置。
【請求項２】
前記既存のシンタックス要素が、マルチ・ビュー・ビデオ符号化シンタックス要素である、請求項１に記載の装置。
【請求項３】
前記マルチ・ビュー・ビデオ符号化シンタックス要素が、国際標準化機構／国際電気標準会議ＭＰＥＧ−４  Ｐａｒｔ１０  ＡＶＣ標準／国際電気通信連合電気通信標準化部門Ｈ．２６４勧告の拡張に対応する、請求項２に記載の装置。
【請求項４】
前記既存のシンタックス要素が、高レベルである、請求項１に記載の装置。
【請求項５】
前記高レベルが、スライス・ヘッダ・レベル、シーケンス・パラメータ・セット・レベル、ピクチャ・パラメータ・セット・レベル、ビュー・パラメータ・セット・レベル、ネットワーク・アブストラクション・レイヤ・ユニット・ヘッダ・レベル、および付加拡張情報メッセージに対応するレベルの少なくとも１つに対応する、請求項１に記載の装置。
【請求項６】
前記デコーダが、前記異なる時刻の特定の１つの時刻に対応するピクチャの何れかが失われているかどうかをタイム・ファースト符号化情報を用いて判定する、請求項１に記載の装置。
【請求項７】
前記デコーダが、以前に復号されたピクチャのリストの中を、前記ピクチャの前記少なくとも１つのビュー間予測に使用される前記少なくとも１つの参照ピクチャがないか探索し、前記以前に復号されたピクチャのリストが、前記タイム・ファースト符号化情報の少なくとも一部分を表す、請求項６に記載の装置。
【請求項８】
探索される前記少なくとも１つの参照ピクチャが、前記少なくとも１つの参照ピクチャに対応する識別子、および前記ピクチャの前記少なくとも１つに対する前記異なる時刻の特定の１つの時刻を用いて識別され、前記ピクチャの前記少なくとも１つが、現在復号されるピクチャである、請求項７に記載の装置。
【請求項９】
ビットストリームのマルチ・ビュー・ビデオ・コンテンツに対応する少なくとも１つのビューのピクチャを復号するステップを含み、前記ピクチャがビデオ・シーケンスの少なくとも一部分を表し、前記ピクチャの少なくともいくつかがビデオ・シーケンス内の異なる時刻に対応する方法であって、
前記復号ステップが、前記異なる時刻の特定の１つに対応するピクチャの何れかが失われているかどうかを既存のシンタックス要素を用いて判定するステップを含み、前記既存のシンタックス要素が、前記ピクチャの少なくとも１つのビュー間予測に用いられる少なくとも１つの参照ビューを示す、前記方法。
【請求項１０】
前記既存のシンタックス要素が、マルチ・ビュー・ビデオ符号化シンタックス要素である、請求項９に記載の方法。
【請求項１１】
前記マルチ・ビュー・ビデオ符号化シンタックス要素が、国際標準化機構／国際電気標準会議ＭＰＥＧ−４  Ｐａｒｔ１０  ＡＶＣ標準／国際電気通信連合電気通信標準化部門Ｈ．２６４勧告の拡張に対応する、請求項１０に記載の方法。
【請求項１２】
前記既存のシンタックス要素が、高レベルである、請求項９に記載の方法。
【請求項１３】
前記高レベルが、スライス・ヘッダ・レベル、シーケンス・パラメータ・セット・レベル、ピクチャ・パラメータ・セット・レベル、ビュー・パラメータ・セット・レベル、ネットワーク・アブストラクション・レイヤ・ユニット・ヘッダ・レベル、および付加拡張情報メッセージに対応するレベルの少なくとも１つに対応する、請求項９に記載の方法。
【請求項１４】
前記判定ステップで、前記異なる時刻の特定の１つの時刻に対応するピクチャの何れかが失われているかどうかをタイム・ファースト符号化情報を用いて判定する、請求項９に記載の方法。
【請求項１５】
前記判定ステップが、以前に復号されたピクチャのリストの中を、前記ピクチャの前記少なくとも１つのビュー間予測に使用される前記少なくとも１つの参照ピクチャがないか探索するステップを含み、前記以前に復号されたピクチャのリストが、前記タイム・ファースト符号化情報の少なくとも一部分を表す、請求項１４に記載の方法。
【請求項１６】
探索される前記少なくとも１つの参照ピクチャが、前記少なくとも１つの参照ピクチャに対応する識別子、および前記ピクチャの前記少なくとも１つに対する前記異なる時刻の特定の１つの時刻を用いて識別され、前記ピクチャの前記少なくとも１つが、現在復号されるピクチャである、請求項１５に記載の方法。
【手続補正書】
【提出日】平成22年12月1日(2010.12.1)
【手続補正１】
【補正対象書類名】明細書
【補正対象項目名】００３４
【補正方法】変更
【補正の内容】
【００３４】
コンピュータ・システム９００は、また、通信インタフェース９２４を含んでもよい。通信インタフェース９２４は、ソフトウェアとデータをコンピュータ・システム９００と外部装置との間で転送することを可能にする。通信インタフェース９２４の例には、モデム、ネットワーク・インタフェース（イーサネット・カード等）、通信ポート、パーソナル・コンピュータ・メモリ・カード国際協会（ＰＣＭＣＩＡ）スロット及びカード等がある。通信インタフェース９２４を介して転送されるソフトウェアとデータは、信号９２８の形であり、この信号９２８は、通信インタフェース９２４が受け取ることができる電子信号、電磁気信号、光信号又は他の信号でよい。これらの信号９２８は、通信路（例えば、チャネル）９２６を介して通信インタフェース９２４に供給される。これらの信号９２８を運ぶ通信路９２６は、ワイヤ又はケーブル、光ファイバ、電話線、セルラリンク、無線周波数（ＲＦ）リンク及び／又は他の通信チャネルを使用して実施されてもよい。本明細書では、「コンピュータ・プログラム媒体」と「コンピュータにて使用可能な媒体」という用語は、一般に、着脱式のストレージ・ドライブ９１４、ハードディスクドライブ９１２に組み込まれたハードディスク、信号９２８等の媒体を指すために使用される。これらのコンピュータ・プログラム製品は、コンピュータ・システム９００にソフトウェアを提供する。本発明は、そのようなコンピュータ・プログラム製品を対象とする。
【手続補正２】
【補正対象書類名】明細書
【補正対象項目名】００３７
【補正方法】変更
【補正の内容】
【００３７】
図７は、本発明により使用可能な通信システム１０００を示す。通信システム１０００は、１つ又は複数のアクセス機構１０６０、１０６２（本明細書では１人又は複数人の「ユーザ」として交互に呼ばれる）と、１つ又は複数の端末装置１０４２、１０６６を有する。一実施形態では、本発明によって使用されるデータは、例えば、カップリング１０４５，１０４６，１０６４や、インターネットやイントラネットのようなネットワーク１０４４を介して、プロセッサとデータ用レポジトリを有し、及び／又はデータ用レポジトリへの接続を有する、ＰＣ、ミニコンピュータ、メインフレーム・コンピュータ、マイクロコンピュータ、又は他の装置等のサーバ１０４３に接続される、パーソナル・コンピュータ（ＰＣ）、ミニコンピュータ、メインフレーム・コンピュータ、マイクロコンピュータ、電話装置、又はハンドヘルドデバイスや携帯情報端末（「ＰＤＡ」）のような無線装置等の端末装置１０４２，１０６６を介してアクセス機構１０６０，１０６２により入力又はアクセスされる。カップリング１０４５，１０４６，１０６４には、例えば、有線リンク、無線リンク、又は光ファイバリンクがある。別の実施形態では、本発明の方法及びシステムは、単一コンピュータなどの独立環境で機能する。
【手続補正書】
【提出日】平成22年12月24日(2010.12.24)
【手続補正１】
【補正対象書類名】特許請求の範囲
【補正対象項目名】全文
【補正方法】変更
【補正の内容】
【特許請求の範囲】
【請求項１】
ビデオ信号を符号化する方法であって、
画像圧縮が実行され、
複数の時間的予測が用いられ、
複数の予測フレームがメモリに格納され、
前記メモリ内の予測フレームが、別途生成された予測フレームで上書きされる、方法。
【請求項２】
上書きされた前記予測フレームは、メモリ内に最も長く存在する１又はそれ以上の予測フレームである、請求項１に記載の方法。
【請求項３】
前記メモリは、エンハンスメントストリームエンコーダのメモリであり、
予測フレームは、ベースストリームエンコーダからのフレームで上書きされる、請求項１に記載の方法。
【請求項４】
前記ベースストリームエンコーダからのフレームが、アップスケール／インターレース解除される、請求項３に記載の方法。
【請求項５】
時間的予測フレームは、深度視野フレームで上書きされる、請求項１に記載の方法。
【請求項６】
エンハンスメントストリームとベースストリームとのフレームレートが、２とは異なる倍数だけ異なる、請求項３に記載の方法。
【請求項７】
ビデオ信号を復号する方法であって、
画像圧縮が実行され、
複数の時間的予測が用いられ、
複数の予測フレームがメモリに格納され、
前記メモリ内の予測フレームが、別途生成された予測フレームで上書きされる、方法。
【請求項８】
上書きされた前記予測フレームは、メモリ内に最も長く存在する１又はそれ以上の予測フレームである、請求項７に記載の方法。
【請求項９】
前記メモリは、エンハンスメントデコーダ内のメモリであり、
予測フレームは、ベースストリームデコーダからのフレームで上書きされる、請求項７に記載の方法。
【請求項１０】
前記ベースストリームデコーダからのフレームが、アップスケール／インターレース解除される、請求項９に記載の方法。
【請求項１１】
時間的予測フレームは、深度視野フレームで上書きされる、請求項７に記載の方法。
【請求項１２】
スケーラブル圧縮が実行される、請求項１又は請求項７に記載の方法。
【請求項１３】
エンハンスメントストリームとベースストリームとのフレームレートが、２とは異なる倍数だけ異なる、請求項９に記載の方法。
【請求項１４】
ビデオ信号用のエンコーダであって、
画像圧縮が実行され、
当該エンコーダは、複数の時間的予測を生成して、前記複数の時間的予測をメモリに格納し、
当該エンコーダは、メモリ内の予測フレームを、別途生成された予測フレームで上書きする、エンコーダ。
【請求項１５】
当該エンコーダは、メモリ内に最も長く存在する１又はそれ以上の前記予測フレームを上書きする、請求項１４に記載のエンコーダ。
【請求項１６】
前記メモリは、エンハンスメントストリームエンコーダ内のメモリであり、
当該エンコーダは、前記メモリ内の予測フレームを、ベースストリームエンコーダからのフレームで上書きする、請求項１４に記載のエンコーダ。
【請求項１７】
当該エンコーダは、前記ベースストリームエンコーダからのフレームをアップスケール／インターレース解除する手段を有する、請求項１６に記載のエンコーダ。
【請求項１８】
時間的予測フレームは、深度視野フレームで上書きされる、請求項１４に記載のエンコーダ。
【請求項１９】
エンハンスメントストリームとベースストリームとのフレームレートが、２とは異なる倍数だけ異なる、請求項１６に記載のエンコーダ。
【請求項２０】
当該エンコーダは、スケーラブル圧縮のために設けられる、請求項１４に記載のエンコーダ。
【請求項２１】
圧縮されたビデオ信号用のデコーダであって、
当該デコーダは、複数の時間的予測を生成し、前記複数の時間的予測をメモリに格納し、
当該デコーダは、メモリ内の予測フレームを、別途生成された予測フレームで上書きする、デコーダ。
【請求項２２】
当該デコーダは、メモリ内に最も長く存在する１又はそれ以上の予測フレームを上書きする、請求項２１に記載のデコーダ。
【請求項２３】
前記メモリは、エンハンスメントストリームデコーダ内のメモリであり、
当該デコーダは、前記メモリ内の予測フレームを、ベースストリームデコーダからのフレームで上書きする、請求項２１に記載のデコーダ。
【請求項２４】
当該デコーダは、前記ベースストリームデコーダからのフレームをアップスケール／インターレース解除する手段を有する、請求項２３に記載のデコーダ。
【請求項２５】
時間的予測フレームは、深度視野フレームで上書きされる、請求項２１に記載のデコーダ。
【請求項２６】
エンハンスメントストリームとベースストリームとのフレームレートは、２とは異なる倍数だけ異なる、請求項２３に記載のデコーダ。
【請求項２７】
当該デコーダは、スケーラブル圧縮されたビデオ信号を復号する、請求項２１に記載のデコーダ。
【請求項２８】
コンピュータプログラムがコンピュータ上で実行されるときに、請求項１〜１３のうちいずれか一項に記載の方法を実行するプログラムコードを有する、コンピュータプログラム。
【請求項２９】
コンピュータプログラムがコンピュータ上で実行されるときに、請求項１〜１３のうちいずれか一項に記載の方法を実行する、コンピュータ読み取り可能な媒体に格納されたプログラムコードを有する、コンピュータプログラム。
【手続補正書】
【提出日】平成23年2月17日(2011.2.17)
【手続補正１】
【補正対象書類名】特許請求の範囲
【補正対象項目名】請求項７
【補正方法】変更
【補正の内容】
【請求項７】
前記空間的な分布が、前記受信した、送信失敗を示す１つ以上のメッセージに基づいて判別されることを特徴とする請求項１乃至請求項６のいずれか１項に記載の方法。
【手続補正２】
【補正対象書類名】特許請求の範囲
【補正対象項目名】請求項８
【補正方法】変更
【補正の内容】
【請求項８】
前記空間的な分布が前記少なくとも１つの端末から受信される少なくとも１つの報告から判別されることを特徴とする請求項１乃至請求項７のいずれか１項に記載の方法。
【手続補正３】
【補正対象書類名】特許請求の範囲
【補正対象項目名】請求項１１
【補正方法】変更
【補正の内容】
【請求項１１】
前記少なくとも１つのビームが、前記判別された空間的な分布に従って生成されることを特徴とする請求項１乃至請求項１０のいずれか１項に記載の方法。
【手続補正書】
【提出日】平成22年12月9日(2010.12.9)
【手続補正１】
【補正対象書類名】特許請求の範囲
【補正対象項目名】全文
【補正方法】変更
【補正の内容】
【特許請求の範囲】
【請求項１】
（ａ）  カラー画素とパンクロマティック画素との両方を有する二次元センサ・アレイを使用してシーンの画像を捕捉するステップ；
（ｂ）  捕捉されたカラー画素に応答してフルカラー画像を形成し、該捕捉されたパンクロマティック画素に応答して基準パンクロマティック画像を形成するステップ；
（ｃ）  該基準パンクロマティック画像から高周波数パンクロマティック画像を形成するステップ；そして
（ｄ）  該高周波数パンクロマティック画像及び該フルカラー画像に応答して、鮮鋭化されたフルカラー画像を提供するステップ
を含んで成るシーンのフルカラー画像を鮮鋭化する方法。
【請求項２】
ステップ（ｄ）で、前記高周波数パンクロマティック画像を使用する前に、該高周波数パンクロマティック画像を変更することをさらに含む請求項１に記載の方法。
【請求項３】
該変更が、該高周波数パンクロマティック画像をコアリングすることをさらに含む請求項２に記載の方法。
【手続補正書】
【提出日】平成23年1月13日(2011.1.13)
【手続補正１】
【補正対象書類名】特許請求の範囲
【補正対象項目名】全文
【補正方法】変更
【補正の内容】
【特許請求の範囲】
【請求項１】
患者の胃腸管で使用するための器具であって、
可膨張デバイスであって、当該可膨張デバイスよりも近位側の流体圧力と当該可膨張デバイスよりも遠位側の流体圧力との差に応じて、前記胃腸管を通って治療部位まで移動されるように構成され、当該可膨張デバイスよりも近位側に前記流体圧力をかけることによって当該器具が遠位側に前進する、可膨張デバイスと、
前記可膨張デバイスに結合され、所定の視野で前記胃腸管を撮像するように構成された光学システムと、
前記可膨張デバイスに結合された作業チャネルであって、当該作業チャネル内にチャネルルーメンを形成して患者の外部から前記治療部位へのアクセスを形成するように形付けられた作業チャネルと、
前記チャネルルーメンを通過して前記作業チャネルの遠位部から現れるように構成されたツールであって、当該ツールが、患者の身体の外部からの当該ツールの操縦を容易にしかつこれにより当該器具を操縦するツール操縦機構であって前記光学システムの前記視野内で当該ツールを胃腸管のほぼ任意の部位に向けるように構成されかつ操作可能であるツール操縦機構を備えるツールと、
を備えることを特徴とする器具。
【請求項２】
前記ツール操縦機構は、当該器具の先端部を傾けることによって当該器具を操縦するように構成されかつ操作可能であることを特徴とする請求項１に記載の器具。
【請求項３】
前記ツール操縦機構は、シース内にある制御ワイヤを備え、
前記ツールは、長手方向に前進されかつ後退され、曲げられ、及び前記作業チャネル内で当該ツールの本体部を回転させることによって回転されることを特徴とする請求項１または２に記載の器具。
【請求項４】
前記制御ワイヤは、当該器具を貫通して延在し、基端部と先端部とを備え、
前記制御ワイヤの基端部それぞれは、前記本体部の外側に配置されており、
前記先端部それぞれは、前記本体部の外側から制御可能であることを特徴とする請求項３に記載の器具。
【請求項５】
前記光学システムは、全方向性の画像を提供するように構成されていることを特徴とする請求項１から４のいずれか１項に記載の器具。
【請求項６】
当該器具が静止している間に前記ツール操縦機構を制御するように構成されかつ操作可能である制御ユニットを備えることを特徴とする請求項１から５のいずれか１項に記載の器具。
【請求項７】
前記ツールは、当該器具の前進を容易にするように、または当該ツールを押圧することによって当該器具の先端側への運動を保持するまたは支持するように、選択された所定の剛性を有していることを特徴とする請求項１から６のいずれか１項に記載の器具。